(57)【要約】【課題】  バイオマス由来の燃料のみで燃焼を行うことができる燃焼システムを提供する。【解決手段】  バイオマスを燃料とした燃焼システム１０は、バイオマスからバイオマス液体燃料を搾油する搾油装置１１と、搾油装置１１により搾油されたバイオマス搾油残渣からバイオガスを抽出するガス化炉１４と、搾油装置１１により搾油されたバイオマス液体燃料と、ガス化炉１４により抽出されたバイオガスとを混焼させる混焼エンジン１７とを備える。【選択図】  図３
2010236472.tif 000002
【特許請求の範囲】
【請求項１】
バイオマスを燃料とした燃焼システムであって、
前記バイオマスからバイオマス液体燃料を抽出する液体燃料抽出装置と、
前記液体燃料抽出装置によりバイオマス液体燃料が抽出された後のバイオマス搾油残渣からバイオガスを生成するガス化炉と、
前記液体燃料抽出装置により抽出されたバイオマス液体燃料と、前記ガス化炉により生成されたバイオガスとを混焼させるエンジンとを備えることを特徴とする燃焼システム。
【請求項２】
請求項１記載の燃焼システムであって、
前記バイオマスは植物種子であることを特徴とする燃焼システム。
【請求項３】
バイオマスを燃料とした燃焼方法であって、
前記バイオマスからバイオマス液体燃料を抽出するステップと、
前記バイオマス液体燃料が抽出された後のバイオマス搾油残渣からバイオガスを生成するステップと、
前記抽出されたバイオマス液体燃料と、前記生成されたバイオガスとをエンジンで混焼させるステップとを備えることを特徴とする燃焼方法。
【発明の詳細な説明】
【技術分野】
【０００１】
本発明は、植物種子由来のバイオガスと植物種子由来の植物油とを混焼する燃焼システムに関する。
【背景技術】
【０００２】
従来より、植物又はその廃材、家畜糞尿、生ゴミ、食品廃棄物などのバイオマスを原料としたバイオガスや、バイオマス由来の液体燃料を発電所における燃焼システムに利用する試みが行われている。このようなバイオマス燃料を用いる場合には、運転開始時などに、灯油や都市ガス等の化石燃料からなる補助燃料との混燃が必要となる。
【０００３】
例えば、特許文献１には、このような補助燃料とバイオマス由来の燃料とを混燃させる際に、熱効率が最適になるように燃料の混燃割合を制御可能な燃焼システムが記載されている。
【先行技術文献】
【特許文献】
【０００４】
【特許文献１】特開２００４−１５６５０１号公報
【発明の概要】
【発明が解決しようとする課題】
【０００５】
しかしながら、上記の燃焼システムでは、補助燃料として化石燃料を使用しており、バイオマス由来の燃料のみで燃焼を行っているわけではない。
【０００６】
本発明の目的は、バイオマス由来の燃料のみで燃焼を行うことができる燃焼システムを提供することである。
【課題を解決するための手段】
【０００７】
本発明の燃焼システムは、バイオマスを燃料とした燃焼システムであって、前記バイオマスからバイオマス液体燃料を抽出する液体燃料抽出装置と、前記液体燃料抽出装置によりバイオマス液体燃料が抽出された後のバイオマス搾油残渣からバイオガスを生成するガス化炉と、前記液体燃料抽出装置により抽出されたバイオマス液体燃料と、前記ガス化炉により生成されたバイオガスとを混焼させるエンジンとを備えることを特徴とする。
上記の燃焼システムにおいて、前記バイオマスは植物種子であってもよい。
【０００８】
また、本発明の燃焼方法は、バイオマスを燃料とした燃焼方法であって、前記バイオマスからバイオマス液体燃料を抽出するステップと、前記バイオマス液体燃料が抽出された後のバイオマス搾油残渣からバイオガスを生成するステップと、前記抽出されたバイオマス液体燃料と、前記生成されたバイオガスとをエンジンで混焼させるステップとを備えることを特徴とする。
【発明の効果】
【０００９】
本発明によれば、バイオマスから抽出したバイオマス液体燃料と、バイオマス液体燃料を抽出した後のバイオマス搾油残渣から生成したバイオガスと、を混焼させるため、バイオマス由来の燃料のみでの燃焼を行える。
【図面の簡単な説明】
【００１０】
【図１】（Ａ）は燃料として軽油を用いて燃焼を行った場合の時間毎のＮＯＸ、ＣＯ、Ｏ２の発生量を示す表であり、（Ｂ）は燃料としてジェトロファ油を用いて燃焼を行った場合の時間毎のＮＯＸ、ＣＯ、Ｏ２の発生量を示す表である。
【図２】（Ａ）は燃料として軽油を用いて燃焼を行った場合の時間毎のＮＯＸ、ＣＯ、Ｏ２の発生量を示す表であり、（Ｂ）は廃食油のエマルジョンと模擬バイオガスとを混焼した場合時間毎のＮＯＸ、ＣＯ、Ｏ２の発生量を示す表である。
【図３】本実施形態の燃焼システムの構成を示す図である。
【発明を実施するための形態】
【００１１】
まず、本願発明者らは、ジェトロファなどの植物から搾油した植物油によりエンジンを燃焼することができることを確かめるため、燃焼実験を行ったので以下説明する。
本実験では、燃料として軽油を用いて燃焼を行った場合（軽油専焼）と、ジェトロファから搾油して得られたジェトロファ油を用いて燃焼を行った場合（植物油専焼）について、ＮＯＸ、ＣＯ、ＣＯ２、Ｏ２の発生量、発電効率、及び周波数の測定を行った。なお、本実験では、２ｋＷエンジンを用いて燃焼を行っている。
【００１２】
図１（Ａ）は燃料として軽油を用いて燃焼を行った場合の時間毎のＮＯＸ、ＣＯ、Ｏ２の発生量を示す表であり、（Ｂ）は燃料としてジェトロファ油を用いて燃焼を行った場合の時間毎のＮＯＸ、ＣＯ、Ｏ２の発生量を示す表である。同図に示すように、軽油と比較してもジャトロファ油を７０℃程度に加温してやれば問題なく専焼できる事を確認した。また、ノズル先端へ異常なカーボンの堆積はなく、５０時間運転経過後のエンジン分解点検でも異常は認められなかった。
以上の実験により、燃料として植物油（ジェトロファ油）を用いてエンジンで燃焼を行うことができることが確認された。
【００１３】
次に、本願発明者らは、廃食油のエマルジョンと、バイオガスとを混焼することが可能であることを実験により確認したので以下説明する。
本実験では、３ｋＷエンジンを用いて、廃食油のエマルジョン５０％とバイオガスを模擬した模擬バイオガス５０％とを混焼した場合と、軽油を専焼した場合とについて、ＮＯＸ、ＣＯ、ＣＯ２、Ｏ２の発生量、発電効率、及び周波数の測定を行った。なお、模擬バイオガスはメタン及びＣＯ２を夫々６０％、４０％の割合で混合してなる気体である。
【００１４】
図２（Ａ）は燃料として軽油を用いて燃焼を行った場合の時間毎のＮＯＸ、ＣＯ、Ｏ２の発生量を示す表であり、（Ｂ）は廃食油のエマルジョンと模擬バイオガスとを混焼した場合時間毎のＮＯＸ、ＣＯ、Ｏ２の発生量を示す表である。
データ採取日の諸条件で、若干の変動はあるが、運転データに大幅な突変は発生していない。また、２５時間毎に燃料噴射ノズルを抜取り観察したが、ノズル先端へ異常なカーボンの堆積はなく、１００時間運転経過後のエンジン分解点検でも異常は認められなかった。
以上の実験により、廃食油のエマルジョンと、バイオガスとを混焼することができることが確認された。
【００１５】
また、上記のようにジェトロファ油のみで燃焼を行うことができるため、同じ植物由来の液体燃料である廃食油のエマルジョンに代えて、ジェトロファ油を用いることも可能であると考えられる。
【００１６】
そこで、上記の実験結果に基づく考察をふまえ、本実施形態の燃焼システムは以下に説明する構成とした。
図３は、本実施形態の燃焼システム１０の構成を示す図である。同図に示すように、本実施形態の燃焼システム１０は、搾油装置１１と、植物油タンク１６と、植物性残渣貯蔵庫１２と、ガス化炉１４と、ガスタンク１５と、混焼エンジン１７とにより構成される。
【００１７】
搾油装置１１は、例えば、ジェトロファなどの植物種子が供給され、供給された植物種子から植物油を抽出する。搾油装置１１により搾油された植物油は植物油タンクへ、植物油が抽出された植物種子は植物性残渣貯蔵庫１２へと送られる。
【００１８】
ガス化炉１４は、植物性残渣貯蔵庫１２から送られてきたバイオマス搾油残渣を酸化・還元させてバイオガスを生成する。ガス化炉１４において生成されたバイオガスはガスタンク１５へと送られ、貯蔵される。
混焼エンジン１７は、植物油タンク１６から植物油が、ガスタンク１５からバイオガスが供給され、これらを混焼させて発電を行う。
【００１９】
以下、燃焼システム１０により混焼を行う流れを説明する。
まず、燃料である植物種子から搾油装置１１により植物油を搾油する。搾油された植物油は植物油タンク１６に貯蔵する。
次に、バイオマス液体燃料が抽出された後のバイオマス搾油残渣は植物性残渣貯蔵庫１２に貯蔵される。
【００２０】
次に、植物性残渣貯蔵庫１２から混焼に必要な量のバイオマス搾油残渣をガス化炉１４に供給し、ガス化炉１４によりバイオガスを生成する。生成されたバイオガスはガスタンク１５に貯蔵される。
次に、混焼エンジン１７にガスタンク１５からバイオガスを、植物油タンク１６から植物油を供給し、混焼エンジン１７によりこれらを混焼して発電を行う。
【００２１】
本実施形態によれば、植物種子由来の植物油と、搾油後の植物種子由来の搾油残渣とから生成したバイオガスを混焼しており、完全に植物種子由来の燃料により発電を行うことができる。
【００２２】
なお、本実施形態では植物種子から植物油及びバイオガスを抽出して、これらを混焼させる場合について説明したが、これに限らず、植物種子以外のバイオマスから抽出したバイオマス液体燃料と、バイオマス液体燃料を抽出したバイオマスおよび農業残渣等（例えば稲藁，木質，トウモロコシの芯）から生成したバイオガスとを混焼させることも可能である。
【符号の説明】
【００２３】
１０  燃焼システム
１１  搾油装置
１２  植物性残渣貯蔵庫
１４  ガス化炉
１５  ガスタンク
１６  植物油タンク
１７  燃焼エンジン
【図１】
2010236472.tif 000003
【図２】
2010236472.tif 000004
【図３】
2010236472.tif 000005